(57)【特許請求の範囲】
【請求項１】
車両を載置するパレットを棚状に配置しこのパレット保管棚に沿って昇降するエレベータによりパレットの出し入れを行う駐車設備であって、前記パレット保管棚は、所定の間隔で設けられた支柱と、この支柱に一定の間隔で高さ方向に取り付けられた水平支持材と、を備え、パレットは隣接する２本の支柱の対向して配置された同一高さの水平支持材に両端を載置するようになっており、対向する水平支持材の一方にスペーサを設けパレットが傾斜して載置されるようにし、他方の水平支持材側にパレットより流れてくる水を処理する排水処理装置が設けられていることを特徴とするパレット保管棚用排水設備。
【請求項２】
前記パレット保管棚に保管される各パレットは、同じ側に傾斜するようになっており、前記廃水処理装置は前記各パレットの同じ側に設置されている、ことを特徴とする請求項１記載のパレット保管棚用排水設備。
【発明の詳細な説明】
【０００１】
【発明の属する技術分野】
本発明は、駐車設備のパレット保管棚用排水設備に関する。
【０００２】
【従来の技術】
雪国の駐車設備では、車の屋根に雪が積もった状態で入庫する場合が多く、積もった雪は駐車設備内で解け、多段積みされた下側のパレットに載置された車両に落下する。パレットはパレット棚に載置されるもので、パレット棚は所定の間隔で設けられた支柱と、この支柱に一定の高さ間隔で設けられた水平支持材からなり、隣接する２本の支柱の同一高さの対向する水平支持材にパレットは載置されている。パレット上面は水平となるので、パレットに落下した水を処理するためパレットの両端の支柱に排水処理管を設けている。
【０００３】
【発明が解決しようとする課題】
パレットの上面が水平であると、パレット上に落下した水は停滞し、長時間パレット上に残り、パレットをエレベータ等でパレット棚より移動する際、水滴を周囲にまき散らす等の不具合が発生する。また排水設備をパレットの両端に設置しなければならず設備費用が増大する。
【０００４】
本発明は上述の問題に鑑みてなされたもので、水はけのよいパレット保管棚用排水設備を提供することを目的とする。
【０００５】
【課題を解決するための手段】
上記目的を達成するため、請求項１の発明では、車両を載置するパレットを棚状に配置しこのパレット保管棚に沿って昇降するエレベータによりパレットの出し入れを行う駐車設備であって、前記パレット保管棚は、所定の間隔で設けられた支柱と、この支柱に一定の間隔で高さ方向に取り付けられた水平支持材と、を備え、パレットは隣接する２本の支柱の対向して配置された同一高さの水平支持材に両端を載置するようになっており、対向する水平支持材の一方にスペーサを設けパレットが傾斜して載置されるようにし、他方の水平支持材側にパレットより流れてくる水を処理する排水処理装置が設けられている
また、請求項２の発明では、前記パレット保管棚に保管される各パレットは、同じ側に傾斜するようになっており、前記廃水処理装置は前記各パレットの同じ側に設置されている。
【０００６】
水平支持材の一方にスペーサを入れることにより、パレットに傾斜がつくので、パレット上に落下した水は傾斜に沿って低い方に流れる。この低い方に排水処理装置を設ければよいので、従来のようにパレットの両端に排水装置を設ける必要がない。また、パレット上に水が停滞しないので、パレット移動時水が飛散することもない。
【０００７】
【発明の実施の形態】
以下、本発明の実施形態について図面を参照して説明する。
図１は本実施形態のパレット保管棚用排水設備を装備したエレべーエタ式駐車設備の縦断面図であり、図２は図１のＸ−Ｘ断面図である。１は入出庫空間であり、かつ人の乗り降り場所である入出庫用バース、２は車、３はパレット保管棚、４は昇降路、５はエレベータ、６は車２を乗せて移動や保管をするパレット、７はパレット移送装置でエレベータ５とパレット保管棚３との間でパレット６を移送する。
【０００８】
エレベータ５は昇降路４を昇降して目的のパレット保管棚３で停止し、パレット移送装置７によりパレット６を横行させて、車２を載せたパレット６（実車パレット）を目的のパレット保管棚３に格納し、あるいは車の載っていないパレット６（空パレット）をバース１に移動するようにするようになっている。
【０００９】
図２はエレベータ５の底部に設けられたパレット移送装置７とパレット保管棚３に載置されたパレット６とを示す。パレット６には、エレベータ５およびパレット保管棚３に図２において左右方向に所定の間隔で配置された車輪１２上を移動するれーる１１と、前後方向（図２で上下方向）に伸びる溝８とが設けられている。エレベータ５には、先端部にパレット６の溝８と係合可能で、かつ係合状態で溝８に沿ってスライド可能な係合部材９を有するクランクアーム１０が回転可能に設けられ、更にこのクランクアーム１０を回転させる図示しないアクチエータが設けられ、これら９、１０およびアクチエータがパレット移送装置７を構成している。かかる構成により係合部材９をパレット６の溝８に係合させた状態でクランクアーム１０を左右方向に伸びた状態からほぼ１８０度回転させることにより、パレット６をエレベータ５とパレット保管棚３との間を移動させることができる。
【００１０】
また、昇降路４の左右両側にはそれぞれパレット保管棚３が設けられている。クランクアーム１０およびアクチエータは、エレベータ５上を左右方向に移動可能な構造となっており、エレベータ５と左右いずれか一方のパレット保管棚３との間でパレット６を移動するに先立って一方のパレット保管棚３の方に移動するように構成されている。
【００１１】
図３は図２のＹ−Ｙ矢視図であり、本実施形態のパレット保管棚用排水設備を示す図である。パレット６の長さに基づく間隔で支柱１５が設けられ、各支柱１５には格納する車２の高さに基づく間隔で水平支持材１６が左右に設けられており、各水平支持材１６の上面には、車輪１２が一列に複数個設けられている。また、パレット６の下面の両端にはこの車輪１２に対応したレール１１が設けられ、パレット６がレール方向（図３で紙面に垂直方向）にエレベータ５のパレット移送装置７により移動できるように構成されている。
【００１２】
車輪１２は、図３においてパレット６の左端のレール１１に対するものは水平支持材１６の上に直接取り付けられるが、右端のレール１１に対するものはスペーサ１７を挟んで取り付けられている。これによりパレット６はパレット保管棚３に傾斜して載置される。
【００１３】
パレット保管棚３に載置されたパレット６の傾斜して低くなる方の下端（図３でパレット６左端）には、パレット６より流れてくる水を受ける樋１８が設けられ、この樋１８には集めた水を下方に導く排水管１９が接続されている。パレット６の傾斜は全パレットとも同じ側が低くなるように付けられ、樋１８および排水管１９もパレット６の同じ側に付くようになっている。
【００１４】
パレット６の傾斜に合わせて、図２に示すパレット移送装置７もパレット６と同一の傾斜でエレベータ５に取り付けられている。これによりパレット６の左右方向への移動を円滑に行うことができる。
【００１６】
【発明の効果】
以上の説明より明らかなように、本発明は、パレットを傾斜して載置するようにし、傾斜により低くなる方に排水設備を設けたので、パレット上の水はけがよくなり、かつ排水設備もパレットの傾斜して低い方にのみ設ければよいので、排水設備が簡単になる。
【図面の簡単な説明】
【図１】本実施形態の排水設備を備えた駐車場の縦断面図を示す。
【図２】図１のＸ−Ｘ断面図で、パレット保管棚の平面図を示す。
【図３】図２のＹ−Ｙ矢視図で、パレット保管棚の側面図を示す。
【符号の説明】
１  入出庫空間
２  車
３  パレット保管棚
４  昇降路
５  エレベータ
６  パレット
７  パレット移送装置
８  溝
９  係合部材
１０  クランクアーム
１１  レール
１２  車輪
１５  支柱
１６  水平支持材
１７  スペーサ
１８  樋
１９  排水管
【図１】
0003919045.tif 000002
【図２】
0003919045.tif 000003
【図３】
0003919045.tif 000004